(57)【要約】【課題】工事性、信頼性、及び安全性に富むスライド式制御盤の提供。【解決手段】建屋の電源をレールに沿って延設した導電部へ接続する端子台と、この導電部と制御盤との間に設けた集電装置と、端子台に設けられ、建屋内配線によってエレベータ制御用の信号を受取り、制御盤との間で制御用信号を無線送受信する無線送受信装置を設けた。【効果】保守性の良いスライド式の制御盤を、配線を引回す必要がなく、固定配線により工事性、信頼性、及び安全性に優れた形で実現する。【選択図】　図１
2004018243.tif 000002
【特許請求の範囲】
【請求項１】
機械室に設けたレールと、このレール上を移動可能に配置した制御盤を備えたエレベータの制御装置において、前記レールに沿って延設した導電部と、この導電部と前記制御盤の底部との間に集電装置を設けたことを特徴とするエレベータの制御装置。
【請求項２】
機械室に設けたレールと、このレール上を移動可能に配置した制御盤を備えたエレベータの制御装置において、前記レールに沿って延設した導電部と、この導電部へ建屋の電源を接続する端子台と、前記導電部と移動可能な前記制御盤との間に設けた集電装置を備えたことを特徴とするエレベータの制御装置。
【請求項３】
機械室に設けたレールと、このレール上を移動可能に配置した制御盤を備えたエレベータの制御装置において、建屋の電源を前記レールに沿って延設した導電部へ接続する端子台と、この導電部と前記制御盤との間に設けた集電装置と、前記端子台に設けられ、建屋内配線によってエレベータ制御用信号を受取り、前記制御盤との間で前記エレベータ制御用信号を無線送受信する無線送受信装置を設けたことを特徴とするエレベータの制御装置。
【請求項４】
請求項１〜３のいずれかにおいて、前記制御盤の底面にキャスタを備え、前記集電装置は、前記ガイドレールに沿って設けられた複数条の導電部と、これらの導電部に接触移動する前記キャスタ円周上の複数の集電体とを備えたことを特徴とするエレベータの制御装置。
【請求項５】
請求項１〜４のいずれかにおいて、前記集電装置は、三相交流電源を受取り、可変電圧可変周波数の三相交流電力をエレベータ駆動電動機へ出力することを特徴とするエレベータの制御装置。
【発明の詳細な説明】
【０００１】
【発明の属する技術分野】
本発明は、機械室に制御盤を備えたエレベータの制御装置の改良に関する。
【０００２】
【従来の技術】
（１）特開昭６１−２２１０７５号公報には、エレベータの機械室において、制御盤や巻上機の保守点検作業スペースを確保するため、制御盤の底部にキャスタローラを取付け、ガイドレールに沿って移動可能に支持することが提案されている。この技術では、天井から引込まれた可撓ケーブルを多数のケーブルハンガーで吊り、これらのケーブルハンガーは制御盤の移動に応じて移動するように、ケーブルガイドを設けている。
【０００３】
（２）また、特開平６−８０３５９号公報には、制御盤底部にキャスタを取付け、ガイドに沿って、壁面より前後にスライドさせることが開示されている。ここでは、制御盤への配線に関する開示は無い。
【０００４】
（３）さらに、特開２００１−５８７７８号公報には、ガイドレール又は回転盤により制御装置を移動させ、配線については、制御装置を機械室の天井から吊るす場合についてのみ、天井から制御装置へ配線することが開示されている。
【０００５】
【発明が解決しようとする課題】
エレベータの機械室は、その殆どが床上引込配線である。従って、上記第１及び第３の従来技術を実際の機械室に適用するには、配線を天井引込に変更するか、床上引込配線のまま、配線を引回して天井から吊るす必要があり、工事性に問題がある。また、電力ケーブルを移動可能に設置することは信頼性、安全性の面での課題がある。
【０００６】
本発明の目的は、工事性、信頼性、及び安全性に優れたスライド式の制御盤を持つエレベータの制御装置を提供することである。
【０００７】
本発明の他の目的は、さらに、集電装置の構成を簡素化し、制御用信号伝達の信頼性を向上させることである。
【０００８】
【課題を解決するための手段】
本発明の主特徴とするところは、機械室に設けたレール上を移動可能に配置した制御盤を備え、このレールに沿って延設した導電部と制御盤の底部との間に集電装置を設けたことである。
【０００９】
これにより、配線を引回す必要がなく、工事性、信頼性、及び安全性に優れたスライド式の制御盤を持つエレベータの制御装置を提供する。
【００１０】
本発明の他の特徴とするところは、建屋の電源をレールに沿って延設した導電部へ接続する端子台と、この導電部と制御盤との間に設けた集電装置と、端子台に設けられ、建屋内配線によってエレベータ制御用の信号を受取り、制御盤との間で制御用信号を無線送受信する無線送受信装置を設けたことである。
【００１１】
これにより、集電装置の構成を簡素化するとともに、制御用信号伝達の信頼性を向上する。
【００１２】
本発明のその他の目的や特徴は、以下の実施例の説明で明らかにする。
【００１３】
【発明の実施の形態】
以下、本発明の一実施例を図面を参照して説明する。
【００１４】
図１は、本発明の一実施例によるエレベータ制御装置のスライド式制御盤の概略を示す斜視図である。エレベータの制御盤１は、その底部にキャスタ２１，２２を備えている。これらのキャスタ２１，２２は、機械室床に延設したガイドレール３１，３２の上を転動できるので、制御盤１はこれらのガイドレール３１，３２に沿って水平方向に移動可能である。ガイドレール３１，３２の上面には、夫々導電部４１，４２が設けられ、これらはそれぞれ端子台５の受電端子５１及び送電端子５２に電気的に接続されている。キャスタ２１又は２２の一方には、ガイドレール３１，３２上の導電部４１，４２と接触して集電する集電体（後述）を取付けている。端子台５には、無線送受信装置５３（後述）をも備えている。
【００１５】
図２は、端子台５とガイドレール３１に沿う導電部４１との電気接続を示す構成図である。ガイドレール３１を断面して示すように、端子台５の受電端子５１を、ガイドレール３１上の導電部４１に電気的に接続している。導電部４１は、三相Ｕ，Ｖ，Ｗの各相４１Ｕ〜４１Ｗ及びアース４１Ｅを備えている。
【００１６】
図３は、本発明の一実施例による導電部から制御盤への電気接続を示す構成図である。制御盤１の底部に取付けられたキャスタ２１のロール周面には、４列の集電体６が互いに絶縁して貼り付けられ、導電部４１Ｕ〜４１Ｗ及び４１Ｅに接触して転動する。一方、これら集電体６の上側には、制御盤１の内部に接続された導電部７がそれぞれ対応して設けられており、常に、端子台５の受電端子５１と制御盤１の内部とが電気的に接続されている。これは、制御盤１内部から、他側のキャスタの集電部（図示せず）、導電部４２、及び端子台５の送電端子５２の関係も同じである。
【００１７】
したがって、建屋電源から端子台５の受電端子５１に受電された２００［Ｖ］の三相交流電力は、制御盤１の内部に導かれる。制御盤内部では、交流／直流変換器で一旦直流に変換した後、再び直流／交流変換器により可変電圧・可変周波数の交流に変換する。この可変電圧・可変周波数の交流は、前述の経路で端子台５の送電端子５２を経由して、エレベータ駆動交流電動機（図示せず）に給電され、エレベータの昇降運転速度が制御される。
【００１８】
また、制御盤１には、電力のほかに、エレベータや電動機の回転角度位置など各種の検出器などの制御用信号を入出力する必要がある。この実施例では、制御盤１との制御用の信号類の入出力は端子台５の無線送受信装置５３を介して無線により行うことにし、集電装置では電力のみを扱うことにしている。勿論、制御用の信号類をも、この集電装置で送受信させることは容易であり、必要に応じた導電部や集電部を追加すれば良い。
【００１９】
本実施例を要約すると、機械室に設けたガイドレール３１，３２と、このガイドレール上を移動可能に配置した制御盤１を備えたエレベータの制御装置において、建屋の電源を受電端子５１に受電する端子台５を設けている。この受電端子５１は、端子台５によって、ガイドレール３１，３２に沿って延設した導電部４１，４２へ接続される。また、この導電部４１，４２と制御盤１との間には、キャスタ２１の集電体６、制御盤底部の導電部７を含む集電装置を設けている。さらに、端子台５には、建屋内配線によってエレベータ制御用の信号を受取り、制御盤１との間で制御用信号を無線送受信する無線送受信装置５３を設けている。
【００２０】
この構成により、保守性の良いスライド式の制御盤を、配線を引回す必要の無い固定配線により、工事性、信頼性、及び安全性に優れた形で実現できる。
【００２１】
また、制御用信号を端子台と制御盤間で無線送受信することにより、集電装置の構成を簡素化するとともに、制御用信号伝達の信頼性を向上できる。
【００２２】
なお、上記実施例では、ガイドレール３１上の導電部４１からキャスタ２１のロール円周上の集電体６で集電しているが、導電部４１はガイドレール上である必要はなく、また、キャスタ以外の集電体を設けても良い。
【００２３】
【発明の効果】
本発明によれば、配線を引回す必要がなく、工事性、信頼性、及び安全性に優れたスライド式制御盤を備えたエレベータの制御装置を実現できる。
【図面の簡単な説明】
【図１】本発明の一実施例によるエレベータ制御装置のスライド式制御盤の概略斜視図。
【図２】本発明の一実施例による端子台と導電部との電気接続を示す構成図。
【図３】本発明の一実施例による導電部、キャスタ、制御盤の電気接続構成図。
【符号の説明】
１…制御盤、２１，２２…キャスタ、３１，３２…ガイドレール、４１，４２，４１Ｅ，４１Ｕ〜４１Ｗ…導電部、５…端子台、５１…受電端子、５２…送電端子、５３…無線送受信装置。
【図１】
2004018243.tif 000003
【図２】
2004018243.tif 000004
【図３】
2004018243.tif 000005